(57)【要約】【課題】プロジェクタ装置におけるレーザーダイオードの電源出力を省電力化できるようにする。【解決手段】コントローラ２１の電源管理部５１は、プロジェクタ装置のレーザーダイオードＬＤの発光量と、出力電圧Ｖｏとの対応関係をキャリブレーション処理により求めておき、所定期間の画像信号における、前記レーザーダイオードＬＤのピーク発光量に対応する出力電圧Ｖｏで、前記所定期間において、前記レーザーダイオードＬＤに電力を供給するように電源２９を制御する。本技術は、プロジェクタ装置に適用することができる。【選択図】図５
2014092649.tif 000002
【特許請求の範囲】
【請求項１】
レーザー光を発光する発光部と、
前記発光部に所定の電圧で電力を供給する電力供給部と、
所定期間の画像データにおける、前記発光部のピーク発光量に対応する電圧で、前記所定期間において、前記発光部に電力を供給するように前記電力供給部を制御する制御部と
を含む画像出力装置。
【請求項２】
前記発光部により発光される発光量を測定する発光量測定部と、
前記制御部が、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含み、
前記制御部は、前記所定期間の画像データを読み込み、前記調整記憶部に記憶されている発光量のうち、読み込んだ前記所定期間の前記画像データのピーク発光量に対応する電圧で、前記所定の期間において、前記発光部に電力を供給するように、前記電力供給部を制御する
請求項１に記載の画像出力装置。
【請求項３】
前記調整記憶部は、前記制御部が、起動時に、最低電圧から最高電圧まで、所定の電圧間隔で前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する
請求項２に記載の画像出力装置。
【請求項４】
前記調整記憶部は、前記制御部が、所定の時間間隔毎に、最低電圧から最高電圧まで、所定の電圧間隔で前記発光部に供給する電力の電圧を変化させながら、前記発光部に電力を供給するように前記電力供給部を制御するように繰り返すとき、前記発光部に供給される電力の、それぞれの電圧に対応づけて、前記発光量測定部により測定される発光量を繰り返し記憶し、
前記制御部は、前記所定期間の画像データを読み込み、前記調整記憶部に記憶されている発光量のうち、読み込んだ前記所定期間の前記画像データのピーク発光量に対応する、直近に記憶された電圧で、前記所定の期間において、前記発光部に電力を供給するように、前記電力供給部を制御する
請求項２に記載の画像出力装置。
【請求項５】
前記発光部により発光される発光量を測定する発光量測定部と、
前記発光部の出力電圧を測定する出力電圧測定部とをさらに含み、
前記制御部が、前記出力電圧測定部により測定される出力電圧が変化するように、前記発光部に供給する電力の電圧を変化させながら、前記発光部に電力を供給するように前記電力供給部を制御するとき、前記出力電圧測定部により測定される出力電力の、それぞれの出力電圧に対応づけて、前記発光量測定部により測定される発光量を記憶する調整記憶部とをさらに含み、
前記制御部は、前記所定期間の画像データを読み込み、前記調整記憶部に記憶されている発光量のうち、読み込んだ前記所定期間の前記画像データのピーク発光量に対応する出力電圧で、前記所定の期間において、前記発光部に電力を供給するように、前記電力供給部を制御する
請求項１に記載の画像出力装置。
【請求項６】
前記調整記憶部は、前記制御部が、所定の時間間隔毎に、最低電圧から最高電圧まで、前記出力電圧測定部により測定される出力電圧が変化するように、所定の電圧間隔で前記発光部に供給する電力の電圧を変化させながら、前記発光部に電力を供給するように前記電力供給部を制御するように繰り返すとき、前記それぞれの出力電圧に対応づけて、前記発光量測定部により測定される発光量を繰り返し記憶し、
前記制御部は、前記所定期間の画像データを読み込み、前記調整記憶部に記憶されている発光量のうち、読み込んだ前記所定期間の前記画像データのピーク発光量に対応する、直近に記憶された出力電圧で、前記所定の期間において、前記発光部に電力を供給するように、前記電力供給部を制御する
請求項５に記載の画像出力装置。
【請求項７】
前記発光部により発光される発光量を測定する発光量測定部を含み、
前記制御部は、
前記電力供給部が前記発光部へと供給する供給電力の電圧と、前記発光量測定部により発光量測定部により測定された発光量とを対応付けて実測結果として記憶する実測記憶部と、
前記実測記憶部に記憶されている実測結果に基づいて、所定期間の画像データにおける、前記発光部のピーク発光量に対応する電圧を推定する推定部とを含み、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
請求項１に記載の画像出力装置。
【請求項８】
前記制御部が、起動時に、最低電圧から最高電圧まで、所定の電圧間隔で、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含み、
前記推定部は、前記調整器億部に記憶されている情報、および前記実測記憶部に記憶されている実測結果に基づいて、前記所定期間の画像データにおける、前記発光部のピーク発光量に対応する電圧を推定し、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
請求項７に記載の画像出力装置。
【請求項９】
前記画像データに基づいて、前記発光部で発光される強度に対応付けて、前記発光部に供給される電流値を設定する電流値設定部をさらに含む
請求項１に記載の画像出力装置。
【請求項１０】
前記発光部は、レーザーダイオードである
請求項１に記載の画像出力装置。
【請求項１１】
レーザー光を発光する発光処理をし、
前記発光処理をするために所定の電圧で電力を供給する電力供給処理をし、
所定期間の画像データにおける、前記発光処理によるピーク発光量に対応する電圧で、前記所定期間において、前記発光処理をするための電力を供給するように前記電力供給処理を制御する制御処理をする
ステップを含む画像出力装置の動作方法。
【請求項１２】
レーザー光を発光する発光ステップと、
前記発光ステップの処理をするために所定の電圧で電力を供給する電力供給ステップと、
所定期間の画像データにおける、前記発光ステップの処理によるピーク発光量に対応する電圧で、前記所定期間において、前記発光ステップの処理をするための電力を供給するように前記電力供給ステップの処理を制御する制御ステップと
を含む処理をコンピュータに実行させるためのプログラム。
【請求項１３】
レーザー光を発光する発光部と、
前記発光部に所定の電圧で電力を供給する電力供給部とを少なくとも接続する電子回路であって、
所定期間の画像データにおける、前記発光部のピーク発光量に対応する電圧で、前記所定期間において、前記発光部に電力を供給するように前記電力供給部を制御する制御部を含む
電子回路。
【請求項１４】
前記電子回路は、
前記発光部により発光される発光量を測定する発光量測定部とさらに接続し、
前記制御部が、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部をさらに含み、
前記制御部は、前記所定期間の画像データを読み込み、前記調整記憶部に記憶されている発光量のうち、読み込んだ前記所定期間の前記画像データのピーク発光量に対応する電圧で、前記所定の期間において、前記発光部に電力を供給するように、前記電力供給部を制御する
請求項１３に記載の電子回路。
【請求項１５】
前記電子回路は、
前記発光部により発光される発光量を測定する発光量測定部と、
前記発光部の出力電圧を測定する出力電圧測定部とをさらに接続し、
前記制御部が、前記出力電圧測定部により測定される出力電圧が変化するように、前記発光部に供給する電力の電圧を変化させながら、前記発光部に電力を供給するように前記電力供給部を制御するとき、前記出力電圧測定部により測定される出力電力の、それぞれの出力電圧に対応づけて、前記発光量測定部により測定される発光量を記憶する調整記憶部とをさらに含み、
前記制御部は、前記所定期間の画像データを読み込み、前記調整記憶部に記憶されている発光量のうち、読み込んだ前記所定期間の前記画像データのピーク発光量に対応する出力電圧で、前記所定の期間において、前記発光部に電力を供給するように、前記電力供給部を制御する
請求項１３に記載の電子回路。
【請求項１６】
前記電子回路は、
前記発光部により発光される発光量を測定する発光量測定部をさらに接続し、
前記制御部は、
前記電力供給部が前記発光部へと供給する供給電力の電圧と、前記発光量測定部により発光量測定部により測定された発光量とを対応付けて実測結果として記憶する実測記憶部と、
前記実測記憶部に記憶されている実測結果に基づいて、所定期間の画像データにおける、前記発光部のピーク発光量に対応する電圧を推定する推定部とを含み、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
請求項１３に記載の電子回路。
【請求項１７】
レーザー光を発光する発光部と、
前記発光部に所定の電圧で電力を供給する電力供給部と、
所定期間の画像データにおける、前記発光部のピーク発光量に対応する電圧で、前記所定期間において、前記発光部に電力を供給するように前記電力供給部を制御する制御部と
を含む電子機器。
【発明の詳細な説明】
【技術分野】
【０００１】
本技術は、画像出力装置および画像出力装置の動作方法、電子回路、電子機器、並びにプログラムに関し、特に、プロジェクション装置を低電力化できるようにした画像出力装置および画像出力装置の動作方法、電子回路、電子機器、並びにプログラムに関する。
【背景技術】
【０００２】
ピコプロジェクション装置と呼ばれる小型のレーザー光源を用いて画像を投影して表示する投影型の表示装置が提案されている。
【０００３】
このピコプロジェクション装置を実現するために、様々な光源が提案されている（例えば、特許文献１参照）。
【先行技術文献】
【特許文献】
【０００４】
【特許文献１】特開２０１２−０６９８５７号公報
【発明の概要】
【発明が解決しようとする課題】
【０００５】
ところで、ピコプロジェクション装置は、装置構成そのものが小型のものが多く、従って、動作に必要とされる電力を供給する電源も大きなものを採用することが難しかった。特に、モバイル機器に搭載する様な場合、電源の容量には限りがあるため、ピコプロジェクション装置の消費電力を低減させる必要があった。
【０００６】
また、ピコプロジェクション装置を実現させるには、比較的光量の大きな光源が必要になることから、発光に伴って、発熱量も大きくなるため、ファンなどの放熱装置を構成に加えることにより、装置が大型化し、消費電力が大きくなってしまうことがあった。
【０００７】
さらに、ピコプロジェクション装置に必要とされる光源の光量は、画像に応じて変化するものであるが、画像に応じて光源に印加される電圧は、全画像に対する必要最大発光量に応じたものに設定されているため、本来必要な発光量以上の出力電圧が印可されることにより不要な電力が消費されていた。
【０００８】
本技術は、このような状況に鑑みてなされたものであり、特に、投影型の表示装置における光源を発光させるにあたり、フレーム単位などの所定の期間ごとにピーク発光量を求めて、そのピーク発光量に応じた出力電圧を設定することにより、過剰な電圧での光源の印可を抑制し、光源での消費電力を低減させるものである。
【課題を解決するための手段】
【０００９】
本技術の第１の側面の画像出力装置は、レーザー光を発光する発光部と、前記発光部に所定の電圧で電力を供給する電力供給部と、所定期間の画像データにおける、前記発光部のピーク発光量に対応する電圧で、前記所定期間において、前記発光部に電力を供給するように前記電力供給部を制御する制御部とを含む。
【００１０】
前記発光部により発光される発光量を測定する発光量測定部と、前記制御部が、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含ませるようにすることができ、前記制御部には、前記所定期間の画像データを読み込ませ、前記調整記憶部に記憶されている発光量のうち、読み込んだ前記所定期間の前記画像データのピーク発光量に対応する電圧で、前記所定の期間において、前記発光部に電力を供給するように、前記電力供給部を制御させるようにすることができる。
【００１１】
前記調整記憶部には、前記制御部が、起動時に、最低電圧から最高電圧まで、所定の電圧間隔で前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶させるようにすることができる。
【００１２】
前記調整記憶部には、前記制御部が、所定の時間間隔毎に、最低電圧から最高電圧まで、所定の電圧間隔で前記発光部に供給する電力の電圧を変化させながら、前記発光部に電力を供給するように前記電力供給部を制御するように繰り返すとき、前記発光部に供給される電力の、それぞれの電圧に対応づけて、前記発光量測定部により測定される発光量を繰り返し記憶させ、前記制御部には、前記所定期間の画像データを読み込み、前記調整記憶部に記憶されている発光量のうち、読み込んだ前記所定期間の前記画像データのピーク発光量に対応する、直近に記憶された電圧で、前記所定の期間において、前記発光部に電力を供給するように、前記電力供給部を制御させることができる。
【００１３】
前記発光部により発光される発光量を測定する発光量測定部と、前記発光部の出力電圧を測定する出力電圧測定部とをさらに含ませるようにすることができ、前記制御部が、前記出力電圧測定部により測定される出力電圧が変化するように、前記発光部に供給する電力の電圧を変化させながら、前記発光部に電力を供給するように前記電力供給部を制御するとき、前記出力電圧測定部により測定される出力電力の、それぞれの出力電圧に対応づけて、前記発光量測定部により測定される発光量を記憶する調整記憶部とをさらに含ませるようにすることができ、前記制御部には、前記所定期間の画像データを読み込み、前記調整記憶部に記憶されている発光量のうち、読み込んだ前記所定期間の前記画像データのピーク発光量に対応する出力電圧で、前記所定の期間において、前記発光部に電力を供給するように、前記電力供給部を制御させるようにすることができる。
【００１４】
前記調整記憶部には、前記制御部が、所定の時間間隔毎に、最低電圧から最高電圧まで、前記出力電圧測定部により測定される出力電圧が変化するように、所定の電圧間隔で前記発光部に供給する電力の電圧を変化させながら、前記発光部に電力を供給するように前記電力供給部を制御するように繰り返すとき、前記それぞれの出力電圧に対応づけて、前記発光量測定部により測定される発光量を繰り返し記憶させ、前記制御部には、前記所定期間の画像データを読み込ませ、前記調整記憶部に記憶されている発光量のうち、読み込んだ前記所定期間の前記画像データのピーク発光量に対応する、直近に記憶された出力電圧で、前記所定の期間において、前記発光部に電力を供給するように、前記電力供給部を制御させるようにすることができる。
【００１５】
前記発光部により発光される発光量を測定する発光量測定部を含ませるようにすることができ、前記制御部には、前記電力供給部が前記発光部へと供給する供給電力の電圧と、前記発光量測定部により発光量測定部により測定された発光量とを対応付けて実測結果として記憶する実測記憶部と、前記実測記憶部に記憶されている実測結果に基づいて、所定期間の画像データにおける、前記発光部のピーク発光量に対応する電圧を推定する推定部とを含ませるようにすることができ、前記制御部には、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御させるようにすることができる。 
【００１６】
前記制御部が、起動時に、最低電圧から最高電圧まで、所定の電圧間隔で、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含ませるようにすることができ、前記推定部には、前記調整器億部に記憶されている情報、および前記実測記憶部に記憶されている実測結果に基づいて、前記所定期間の画像データにおける、前記発光部のピーク発光量に対応する電圧を推定させるようにすることができ、前記制御部には、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御させるようにすることができる。
【００１７】
前記画像データに基づいて、前記発光部で発光される強度に対応付けて、前記発光部に供給される電流値を設定する電流値設定部をさらに含ませるようにすることができる。
【００１８】
前記発光部は、レーザーダイオードとすることができる。
【００１９】
本技術の第１の側面の画像出力装置の動作方法は、レーザー光を発光する発光処理をし、前記発光処理をするために所定の電圧で電力を供給する電力供給処理をし、所定期間の画像データにおける、前記発光処理によるピーク発光量に対応する電圧で、前記所定期間において、前記発光処理をするための電力を供給するように前記電力供給処理を制御する制御処理をするステップを含む。
【００２０】
本技術の第１の側面のプログラムは、レーザー光を発光する発光ステップと、前記発光ステップの処理をするために所定の電圧で電力を供給する電力供給ステップと、所定期間の画像データにおける、前記発光ステップの処理によるピーク発光量に対応する電圧で、前記所定期間において、前記発光ステップの処理をするための電力を供給するように前記電力供給ステップの処理を制御する制御ステップとを含む処理をコンピュータに実行させる。
【００２１】
本技術の第２の側面の電子回路は、レーザー光を発光する発光部と、前記発光部に所定の電圧で電力を供給する電力供給部とを少なくとも接続する電子回路であって、所定期間の画像データにおける、前記発光部のピーク発光量に対応する電圧で、前記所定期間において、前記発光部に電力を供給するように前記電力供給部を制御する制御部を含む。
【００２２】
前記電子回路には、前記発光部により発光される発光量を測定する発光量測定部とさらに接続させるようにすることができ、前記制御部が、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部をさらに含ませるようにすることができ、前記制御部には、前記所定期間の画像データを読み込み、前記調整記憶部に記憶されている発光量のうち、読み込んだ前記所定期間の前記画像データのピーク発光量に対応する電圧で、前記所定の期間において、前記発光部に電力を供給するように、前記電力供給部を制御させるようにすることができる。
【００２３】
前記電子回路には、前記発光部により発光される発光量を測定する発光量測定部と、前記発光部の出力電圧を測定する出力電圧測定部とをさらに接続させるようにすることができ、前記制御部が、前記出力電圧測定部により測定される出力電圧が変化するように、前記発光部に供給する電力の電圧を変化させながら、前記発光部に電力を供給するように前記電力供給部を制御するとき、前記出力電圧測定部により測定される出力電力の、それぞれの出力電圧に対応づけて、前記発光量測定部により測定される発光量を記憶する調整記憶部とをさらに含ませるようにすることができ、前記制御部には、前記所定期間の画像データを読み込み、前記調整記憶部に記憶されている発光量のうち、読み込んだ前記所定期間の前記画像データのピーク発光量に対応する出力電圧で、前記所定の期間において、前記発光部に電力を供給するように、前記電力供給部を制御させるようにすることができる。
【００２４】
前記電子回路には、前記発光部により発光される発光量を測定する発光量測定部をさらに接続させるようにすることができ、前記制御部には、前記電力供給部が前記発光部へと供給する供給電力の電圧と、前記発光量測定部により発光量測定部により測定された発光量とを対応付けて実測結果として記憶する実測記憶部と、前記実測記憶部に記憶されている実測結果に基づいて、所定期間の画像データにおける、前記発光部のピーク発光量に対応する電圧を推定する推定部とを含ませるようにすることができ、前記制御部には、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御させるようにすることができる。
【００２５】
本技術の第３の側面の電子機器は、レーザー光を発光する発光部と、前記発光部に所定の電圧で電力を供給する電力供給部と、所定期間の画像データにおける、前記発光部のピーク発光量に対応する電圧で、前記所定期間において、前記発光部に電力を供給するように前記電力供給部を制御する制御部とを含む。
【００２６】
本技術の第１乃至第３の側面においては、発光部により、レーザー光が発光され、電力供給部により、前記発光部に所定の電圧で電力が供給され、制御部により、所定期間の画像データにおける、前記発光部のピーク発光量に対応する電圧で、前記所定期間において、前記発光部に電力を供給するように前記電力供給部が制御される。
【００２７】
本技術の画像出力装置、電子回路、および電子機器は、独立した装置、回路、または機器であっても良いし、画像出力装置、電子回路、または電子機器としての機能を実現するブロックであっても良い。
【発明の効果】
【００２８】
本技術の一側面によれば、画像出力装置の低電力化を実現することが可能となる。
【図面の簡単な説明】
【００２９】
【図１】本技術を適用したプロジェクタ装置の一実施の形態の構成例を示す図である。
【図２】図１のプロジェクタ装置によるラスタースキャンを説明する図である。
【図３】図１のプロジェクタ装置によるラスタースキャンを説明する図である。
【図４】図１のコントローラの構成例を説明する図である。
【図５】本技術を適用したプロジェクタ装置の電源制御機構の第１の実施の形態の構成例を示す図である。
【図６】図５の電源制御機構によるキャリブレーション処理を説明するフローチャートである。
【図７】図５の電源制御機構によるキャリブレーション処理によるキャリブレーション結果を説明する図である。
【図８】図５の電源制御機構による出力電圧制御処理を説明するフローチャートである。
【図９】図５の電源制御機構による出力電圧制御処理を説明する図である。
【図１０】従来の電源制御機構による出力電圧制御処理を説明する図である。
【図１１】図５の電源制御機構による出力電圧制御処理を説明する図である。
【図１２】本技術を適用したプロジェクタ装置の電源制御機構の第２の実施の形態の構成例を示す図である。
【図１３】図１２の電源制御機構によるキャリブレーション処理を説明するフローチャートである。
【図１４】図１２の電源制御機構による出力電圧制御処理を説明するフローチャートである。
【図１５】図１２の電源制御機構による出力電圧制御処理を説明する図である。
【図１６】本技術を適用したプロジェクタ装置の電源制御機構の第３の実施の形態の構成例を示す図である。
【図１７】図１６の電源制御機構による出力電圧制御処理を説明するフローチャートである。
【図１８】汎用のパーソナルコンピュータの構成例を説明する図である。
【発明を実施するための最良の形態】
【００３０】
以下、発明を実施するための形態（以下、実施の形態という）について説明する。なお、説明は以下の順序で行う。
１．  第１の実施の形態（起動時に発光量と出力電圧との対応関係を利用する一例）
２．  第２の実施の形態（所定時間間隔で発光量とカソード側の出力電圧との対応関係を利用する一例）
３．  第３の実施の形態（過去の出力電圧と発光量との対応関係を利用する一例）
【００３１】
＜１．第１の実施の形態＞
＜プロジェクション装置の構成例＞
図１は、本技術を適用したプロジェクション装置の一実施の形態の構成例を示すブロック図である。
【００３２】
図１において、プロジェクション装置１１は、レーザー光を光源とした画像１２をスクリーン１３に映写する。また、プロジェクション装置１１は、コントローラ２１、レーザードライバ２２、ミラードライバ２３、レーザー光源２４Ｒ，２４Ｇ、および２４Ｂ、ミラー２５、ダイクロイックミラー２６−１および２６−２、走査ミラー２７Ｈ，２７Ｖ、およびビームスプリッタ２７Ｓ、光学レンズ２８、電源２９、並びにパワーモニタ３０を備えて構成される。
【００３３】
コントローラ２１は、図示しない画像再生装置から供給される画像信号に基づいて、画像１２を表現する三原色（赤色、緑色、および青色）ごとの画像信号を生成し、ミラードライバ２３から供給されるミラーの同期信号に基づいてレーザードライバ２２に供給する。また、コントローラ２１には、図示しないホストコントローラから制御信号が供給され、コントローラ２１は、その制御信号に応じた制御を行う。なお、コントローラ２１の詳細な構成については、図４を参照して後述する。
【００３４】
レーザードライバ２２は、コントローラ２１から供給される画像信号に基づき、画像信号の色ごとに、画像１２の画素ごとの画素値に応じた駆動信号を生成し、レーザー光源２４Ｒ，２４Ｇ、および２４Ｂに供給する。例えば、レーザードライバ２２は、画像信号の赤色の画素値に応じた駆動信号をレーザー光源２４Ｒに供給し、画像信号の緑色の画素値に応じた駆動信号をレーザー光源２４Ｇに供給し、画像信号の青色の画素値に応じた駆動信号をレーザー光源２４Ｂに供給する。
【００３５】
ミラードライバ２３は、画像１２の水平方向にレーザー光線をスキャンさせるために、走査ミラー２７Ｈの共振周波数に基づいた水平スキャン信号を生成して、走査ミラー２７Ｈに供給する。また、ミラードライバ２３は、画像１２の垂直方向にレーザー光線をスキャンさせるための垂直スキャン信号を生成して、走査ミラー２７Ｖに供給する。さらに、ミラードライバ２３は、走査ミラー２７Ｈおよび２７Ｖにより反射されたレーザー光線の一部を検出する受光部を備えている。そして、ミラードライバ２３は、受光部の出結結果に基づいて水平スキャン信号および垂直スキャン信号を調整したり、受光部の出結結果に従った検出信号をコントローラ２１にフィードバックしたりする。ビームスプリッタ２７Ｓは、走査ミラー２７Ｈにより反射されたレーザー光線の一部をパワーモニタ３０に反射する。
【００３６】
レーザー光源２４Ｒ，２４Ｇ、および２４Ｂは、レーザードライバ２２から供給される駆動信号に従って、それぞれ対応する色のレーザー光線を出力する。例えば、レーザー光源２４Ｒは、画像信号の赤色の画素値に応じたレベルで赤色のレーザー光線を出力する。同様に、レーザー光源２４Ｇは、画像信号の緑色の画素値に応じたレベルで緑色のレーザー光線を出力し、レーザー光源２４Ｂは、画像信号の青色の画素値に応じたレベルで青色のレーザー光線を出力する。レーザー光源２４Ｒ，２４Ｇ，２４Ｂを構成するレーザーダイオードＬＤは、コントローラ２１により制御されて電源２９より所定の電圧で供給される電力と、コントローラ２１により制御されるレーザードライバ２２により、流れる電流値が制御されることで、発光量となるレベルが調整される。
【００３７】
ミラー２５は、レーザー光源２４Ｒから出力される赤色のレーザー光線を反射する。ダイクロイックミラー２６−１は、レーザー光源２４Ｇから出力される緑色のレーザー光線を反射するとともに、ミラー２５により反射された赤色のレーザー光線を透過させる。ダイクロイックミラー２６−２は、レーザー光源２４Ｂから出力される青色のレーザー光線を反射するとともに、ミラー２５により反射された赤色のレーザー光線、および、ダイクロイックミラー２６−１により反射された緑色のレーザー光線を透過させる。そして、ミラー２５、並びに、ダイクロイックミラー２６−１および２６−２は、レーザー光源２４Ｒ，２４Ｇ、および２４Ｂから出力されたレーザー光線の光軸が同軸となるように組み合わされて配置されている。
【００３８】
走査ミラー２７Ｈおよび２７Ｖは、例えば、MEMS（Micro Electro Mechanical Systems）により形成された微小なミラーであり、ミラードライバ２３から供給される水平スキャン信号および垂直スキャン信号に従って、それぞれ駆動する。例えば、走査ミラー２７Ｈは、レーザー光源２４Ｒ，２４Ｇ、および２４Ｂから出力されたレーザー光線を反射して、それらのレーザー光線が画像１２の水平方向にスキャンされるように駆動する。また、走査ミラー２７Ｖは、レーザー光源２４Ｒ，２４Ｇ、および２４Ｂから出力されたレーザー光線を反射して、それらのレーザー光線が画像１２の垂直方向にスキャンされるように駆動する。
【００３９】
光学レンズ２８は、走査ミラー２７Ｖからスクリーン１３に向かうレーザー光線の光学経路上に配置されており、レーザー光線の光路を補正する。
【００４０】
パワーモニタ３０は、ビームスプリッタ２７Ｓを介して供給されてくるレーザー光の発光量を測定し、測定した発光量の情報をコントローラ２１に供給する。尚、コントローラ２１、レーザー光源２４Ｒ，２４Ｇ、および２４Ｂ、電源２９、並びにパワーモニタ３０の詳細な構成については、図５を参照して、詳細を後述する。
【００４１】
なお、プロジェクション装置１１は、レーザードライバ２２およびミラードライバ２３がコントローラ２１に統合される構成を採用することができる。また、プロジェクション装置１１は、レーザー光線の光学経路上に光学レンズ２８が配置されない構成としてもよい。
【００４２】
このようにプロジェクション装置１１は構成されており、走査ミラー２７Ｈおよび２７Ｖが互いに直交する方向にレーザー光線をスキャン（走査）することにより、スクリーン１３に二次元の画像１２が映写される。また、走査ミラー２７Ｈおよび２７Ｖによるレーザー光線のスキャン方法としては、例えば、ラスタースキャンという方法と、リサージュスキャンという方法があるが、プロジェクション装置１１では、ラスタースキャンが採用される。
【００４３】
図２を参照して、ラスタースキャンについて説明する。
【００４４】
図２では、画像１２上にラスタースキャンによるレーザー光線の走査軌跡が示されており、画像１２の下方に、水平スキャン信号H-Scanが示されており、画像１２の左方に、垂直スキャン信号V-Scanが示されている。
【００４５】
水平スキャン信号H-Scanは、例えば、走査ミラー２７Ｈの共振周波数に従った約20kHzで振動する正弦波の波形をした信号であり、水平スキャン信号H-Scanの周波数は、画像１２の水平同期周波数の１／２となる。垂直スキャン信号V-Scanは、例えば、画像１２のフレーム周期に応じた周波数である60Hzで振動する鋸波の波形をした信号である。
【００４６】
なお、水平スキャン信号H-Scanの両端近傍における走査軌跡において、レーザーは非発光とされ、走査軌跡の折り返し部分は、画像１２を映写するのには使用されない。また、垂直スキャン信号V-Scanが略垂直に立ち上がる波形となっている区間、即ち、レーザー光線の走査軌跡が下端から上端に向かって急峻に変化する区間である帰線区間においては、レーザーは非発光とされる。
【００４７】
このような水平スキャン信号H-Scanおよび垂直スキャン信号V-Scanに従って走査ミラー２７Ｈおよび２７Ｖがそれぞれ駆動することにより、画像１２上に示すような走査軌跡でレーザー光線が走査される。図示するように、レーザー光線は双方向に走査されるため、即ち、水平方向に向かう走査線の一行ごとにレーザー光線の走査方向が逆方向となるため、プロジェクション装置１１では、走査線の１行ごとに画像信号を並べ替える処理を行う、又はデータのアクセス方向を変える必要がある。
【００４８】
また、水平スキャン信号H-Scanの下方に示すように、レーザー光線の走査速度は、画像１２の中央において高くなる一方、画像１２の端近傍において低くなる。これにより、画像１２に輝度のムラが発生することが想定されるため、プロジェクション装置１１では、画像１２の端近傍においてレーザーの出力を低下させて輝度を均一にする調整が行われる。同様に、プロジェクション装置１１は、必要に応じて、画像信号のレートを調整してもよい。
【００４９】
さらに、レーザー光線が正弦波に従って走査されるため、水平方向に向かう走査線どうしの間隔が不均一なものとなる。一般的に、画像信号規格では、画素が格子状に配置された画素配列で画像が構成されるため、画像信号規格に従った画像信号を、正弦波に従ったレーザー光線の走査軌跡に応じて出力すると、画像１２において画素ごとにズレが発生することになる。
【００５０】
図３を参照して、レーザー光線の走査軌跡と画像信号規格に従った画素配列との関係について説明する。
【００５１】
図３Ａには、レーザー光線の走査軌跡が示されており、図３Ｂには、レーザー光線の走査軌跡と画像信号規格に従った画素配列とが重ね合わされて示されている。
【００５２】
図３において、レーザー光線の走査軌跡上に所定のピッチで配置されている矩形のドットは、正弦波的な水平スキャン信号H-Scanの軌道に対して、水平スキャン信号H-Scanに同期したビデオクロックで刻まれたスキャンピクセルを表している。即ち、スキャンピクセルは、ビデオクロックに従ってレーザー光線が照射されるスポットを示している。
【００５３】
図２を参照して上述したように、レーザー光線の走査速度は、画像１２の中央において高くなる一方、画像１２の端近傍において低くなるとともに、水平方向に向かう走査線どうしの間隔は不均一なものとなる。そのため、図３Ａに示すように、スキャンピクセルは、画像１２の中央において粗くなる一方、端近傍になるほど密になるようにとともに、スキャンピクセルどうしの垂直方向の間隔は不均一なものとなる。
【００５４】
また、図３Ｂにおいて、格子状に配置された丸型のドットは、画像信号規格に従った画素配列で配置される画素を表している。図３Ｂに示すように、レーザー光線の走査軌跡に従ったスキャンピクセルの配置は、画像信号規格に従った画素の配置と大きく異なるものとなり、タイミング的にも不均一なものとなる。このため、画像１２を映写する際に、画素ごとにズレが発生することになる。
【００５５】
そこで、プロジェクション装置１１では、複数の画素の画素信号の画素値から、スキャンピクセルの配置に応じた画素値を生成する補間処理を行うことにより、画像１２において画素ごとにズレが発生することを回避することができる。
【００５６】
例えば、図３Ｂに示すスキャンピクセルＳＰについて説明する。プロジェクション装置１１では、スキャンピクセルＳＰの近傍にある４つの画素Ｐ１乃至Ｐ４の画素値から、スキャンピクセルＳＰの位置に応じた二次元補間によって、スキャンピクセルＳＰの画素値を生成する処理が行われる。このような処理を、全てのスキャンピクセルに対して行うことで、画像１２において画素ごとにズレが発生することが回避される。なお、スキャンピクセルＳＰの画素値を生成するのに用いる画素を選択するパターンは、図３Ｂに示されるような４つの画素Ｐ１乃至Ｐ４に限定されるものではなく、さらに多くの画素を選択したり様々なパターンを用いたりすることができる。
【００５７】
＜コントローラの構成例＞
次に、図４は、コントローラ２１の構成例を示すブロック図である。
【００５８】
図４に示すように、コントローラ２１は、ビデオI/F（interface）３１、フレームメモリ３２、ホストI/F３３、CPU（Central Processing Unit）３４、RAM（Random Access Memory）３５、ピクセルエンジン３６、LDD（Laser Diode Driver） I/F３７、ミラードライバI/F３８、パワーモニタI/F４０、および電源I/F４１を備えて構成され、それらがバス３９を介して接続されている。
【００５９】
ビデオI/F３１は、図示しない画像再生装置と接続され、その画像再生装置により再生される画像１２の画像信号を受け取って、バス３９を介してフレームメモリ３２に供給する。フレームメモリ３２は、画像１２のフレームごとに画像信号を格納する。ホストI/F３３は、図示しないホストコントローラに接続されており、そのホストコントローラから出力される制御信号を受け取って、バス３９を介してCPU３４に供給する。
【００６０】
CPU３４は、RAM３５に展開したプログラムを実行し、ホストI/F３３から供給される制御信号やRAM３５に記憶させた各種の情報などに従って、フレームメモリ３２に格納されている画像１２に対する処理を行う。RAM３５は、CPU３４が実行するプログラムや、CPU３４またはピクセルエンジン３６が処理を実行するのに必要な各種の情報などを記憶する。
【００６１】
ピクセルエンジン３６は、RAM３５に記憶されている情報に従って、フレームメモリ３２に格納されている画像信号に対する処理を実行する。例えば、ピクセルエンジン３６は図３を参照して説明したように、スキャンピクセルＳＰの近傍にある４つの画素Ｐ１乃至Ｐ４の画素値から、スキャンピクセルＳＰの位置に応じた二次元補間によって、スキャンピクセルＳＰの画素値を生成する処理を実行する。なお、ピクセルエンジン３６は、RAM３５に記憶されている情報をピクセルエンジン３６のレジスタに設定して処理を実行したり、フレームメモリ３２に記憶されている画像信号をピクセルエンジン３６のバッファーに一度に格納して処理を実行してもよい。
【００６２】
LDD I/F３７は、図１のレーザードライバ２２に接続されており、ピクセルエンジン３６が生成した画素値に従った画像信号をレーザードライバ２２に供給する。これにより、レーザードライバ２２がレーザー光源２４Ｒ，２４Ｇ、および２４Ｂを発光させ、画像１２をスクリーン１３に映写する画像プロジェクションが実行される。
【００６３】
ミラードライバI/F３８は、図１のミラードライバ２３に接続されており、ミラードライバ２３から同期信号を取得したり、ミラードライバ２３から供給される検出信号に従って同期信号を調整したりする。
【００６４】
パワーモニタ I/F４０は、図１のパワーモニタ３０に接続されており、レーザー光源２４Ｒ，２４Ｇ、および２４Ｂより発光され、ビームスプリッタ２７Ｓを介してパワーモニタ３０により測定されたレーザー光の発光量の情報を取得する。
【００６５】
電源 I/F４１は、図１の電源２９に接続されており、ピクセルエンジン３６が生成した画素値に従って、電源２９を制御して、レーザー光源２４Ｒ，２４Ｇ、および２４Ｂを構成するレーザーダイオードに電力を供給し発光させる。
【００６６】
このようにコントローラ２１は構成されており、コントローラ２１に入力される画像１２の画像信号に対してコントローラ２１において処理が施され、その処理が施された画像信号がレーザードライバ２２および電源２９に出力される。
【００６７】
＜電源の省電力化を実現する電源制御機構の構成例＞
次に、図５を参照して、電源２９の省電力化を実現する電源制御機構の機能を説明する。図５は、図１のプロジェクション装置１１における電源制御機構の機能を実現するための構成だけを抜粋したブロック図である。図５の電源制御機構は、コントローラ２１、レーザードライバ２２、レーザー光源２４Ｒ，２４Ｇ、および２４Ｂを構成するレーザーダイオードＬＤ、電源２９、およびパワーモニタ３０を備えている。尚、レーザー光源２４Ｒ，２４Ｇ、および２４Ｂについて、特に区別する必要がない場合、単にレーザー光源２４と称するものとし、その他の構成についても同様に称するものとする。
【００６８】
コントローラ２１は、ＣＰＵ３４が、ＲＡＭ３５等に記録されているプログラムやデータに基づいた処理を実行することにより、電源管理部５１、パワーモニタ部５２、およびキャリブレーション部５３を備えた構成を実現する。尚、図５においては、電源管理部５１、パワーモニタ部５２、およびキャリブレーション部５３は、ＣＰＵ３４によりＲＡＭ３５等に記録されているプログラムやデータに基づいた処理が実行されることにより実現される場合の例を示しているが、それぞれ独立したハードウェアより構成するようにしても良い。
【００６９】
電源管理部５１は、入力された画像信号に基づいて、電源２９に対して出力すべき出力電圧の情報を供給し、対応する出力電圧をレーザーダイオードＬＤのアノードに印加させる。パワーモニタ部５２は、パワーモニタ３０により測定されるレーザー光源２４を構成するレーザーダイオードＬＤの発光による発光量の情報を取得する。キャリブレーション部５３は、プロジェクション装置１１が起動するとき、電源管理部５１を制御して、最低電圧から所定の電圧間隔で、電圧を上昇、または、最高電圧から所定の電圧間隔で下降させながら電圧を変化させることで、出力可能な出力電圧の全範囲において、パワーモニタ部５２に取得される、パワーモニタ３０により測定されたレーザー光源２４のレーザーダイオードＬＤの発光レベルである発光量を測定させ、測定結果である発光量と出力電圧とを対応付け、キャリブレーション結果として記憶する。
【００７０】
電源管理部５１は、キャリブレーション部５３によりキャリブレーション情報が記憶された状態で、入力された画像信号をフレーム単位で読み出し、読み出したフレームの画像信号のうちピーク発光量となる発光量の情報を抽出する。そして、電源管理部５１は、キャリブレーション部５３に記憶されている発光量と出力電圧の関係から、ピーク発光量となる発光量に対応する出力電圧を読み出し、読み出した出力電圧で電力を供給するように電源２９を制御する。
【００７１】
レーザードライバ２２は、レーザー光源２４を構成するレーザーダイオードＬＤのカソード側に接続されており、入力される画像信号に基づいて、レーザーダイオードＬＤに流れる電流値ＩＬＤを設定する。また、レーザードライバ２２は、その駆動に最低電圧Ｖｌｄｄが必要とされる。電源２９は、入力電圧Ｖｉｎを所定の電圧からなる出力電圧Ｖｏに変換して出力する、いわゆるＤＣＤＣコンバータである。また、電源２９は、入力電圧Ｖｉｎを、コントローラ２１の電源管理部５１の制御により指定された出力電圧Ｖｏに変換し、出力電圧Ｖｏからなる電力をレーザー光源２４のレーザーダイオードＬＤのアノードに供給する。
【００７２】
ここで、出力電圧Ｖｏとするとき、レーザーダイオードＬＤにおける損失Ｐｌｄは、以下の式（１）で示される。
【００７３】
Ｐｌｄ＝Ｖｏ×ＩＬＤ
・・・（１）
【００７４】
ここで、ＩＬＤは、レーザーダイオードに流れる電流値である。また、レーザーダイオードＬＤにおける電圧降下がＶｆｌｄであるとすれば、出力電圧Ｖｏは、少なくとも、（Ｖｆｌｄ＋Ｖｌｄｄ）以上であることが必要となる。
【００７５】
パワーモニタ３０は、レーザーダイオードＬＤが発光するときの発光量を測定するものであり、例えば、フォトダイオードなどである。パワーモニタ３０は、測定した発光量の情報をコントローラ２１に供給する。
【００７６】
＜図５の電源制御機構によるキャリブレーション処理＞
次に、図６のフローチャートを参照して、図５の電源制御機構によるキャリブレーション処理について説明する。
【００７７】
ステップＳ１１において、コントローラ２１の電源管理部５１は、図示せぬ構成に設けられた操作部が操作されてプロジェクション装置１１が起動したか否かを判定し、起動するまで、同様の処理を繰り返す。そして、ステップＳ１１において、起動したと判定された場合、処理は、ステップＳ１２に進む。
【００７８】
ステップＳ１２において、電源管理部５１は、電源２９により出力可能な出力電圧のうち、最低電圧に設定して、レーザー光源２４のレーザーダイオードＬＤのアノードに印加させる。
【００７９】
ステップＳ１３において、パワーモニタ部５２は、パワーモニタ３０を制御して、レーザーダイオードＬＤの発光量を測定させ、測定させた発光量の情報を取得する。
【００８０】
ステップＳ１４において、キャリブレーション部５３は、今現在、電源２９より出力されている電力の出力電圧Ｖｏの情報を電源管理部５１より取得して、パワーモニタ３０により測定された発光量の情報と対応づけて記憶する。
【００８１】
ステップＳ１５において、電源管理部５１は、電源２９より出力されている出力電圧Ｖｏが最高電圧であるか否かを判定し、最高電圧ではない場合、処理は、ステップＳ１６に進む。
【００８２】
ステップＳ１６において、電源管理部５１は、所定値だけ出力電圧Ｖｏを上昇させて、電源２９よりレーザーダイオードＬＤに出力させて、処理は、ステップＳ１３に戻る。
【００８３】
すなわち、ステップＳ１５において、出力電圧Ｖｏが最高電圧であると見なされるまで、ステップＳ１３乃至Ｓ１６の処理が繰り返されて、順次、所定間隔の電圧で上昇する出力電圧Ｖｏと、発光量とが対応づけられたキャリブレーション結果が、キャリブレーション部５３に記憶される。
【００８４】
そして、ステップＳ１５において、出力電圧Ｖｏが最高電圧であると見なされた場合、処理は終了する。
【００８５】
以上の処理により、ステップＳ１３乃至Ｓ１６の処理が繰り返されることにより、例えば、図７で示されるような関係を示す情報からなるキャリブレーション結果がキャリブレーション部５３に記憶される。図７においては、横軸に出力電圧Ｖｏが示されており、縦軸に発光量が示されている。図７で示されるように、出力電圧Ｖｏと、発光量とが、それぞれ（Ｖａ，Ｗａ），（Ｖｂ，Ｗｂ），・・・（Ｖｚ，Ｗｚ）のように示される。すなわち、出力電圧Ｖｏがレーザードライバ２２の最低駆動電圧Ｖｘとなるまでは、レーザーダイオードＬＤは発光せず、最低駆動電圧Ｖｘを超えたところからレーザーダイオードＬＤにより発光が開始される。そして、レーザーダイオードＬＤの発光量は、出力電圧Ｖｏに比例して大きくなる。
【００８６】
このようにキャリブレーション部５３に出力電圧Ｖｏと発光量との対応関係を示すキャリブレーション結果が記憶されることとなる。結果として、コントローラ２１における電源管理部５１は、フレーム単位の画像信号のうち、ピーク発光量となる発光量に対応する出力電圧ＶｏをレーザーダイオードＬＤのアノードに印加させるように、電源２９を制御することで省電力化を実現する。
【００８７】
＜図５の電源制御機構による出力電圧制御処理＞
次に、図８のフローチャートを参照して、図５の電源制御機構による画像信号に基づいてレーザーダイオードＬＤを発光させるときの出力電圧制御処理について説明する。
【００８８】
ステップＳ３１において、コントローラ２１の電源管理部５１は、画像信号に基づいた画像表示が指示されたか否かを判定し、この指示に基づいた表示が開始されるまで、同様の処理を繰り返す。そして、ステップＳ３１において、表示が開始されたと見なされた場合、処理は、ステップＳ３２に進む。
【００８９】
ステップＳ３２において、電源管理部５１は、表示する画像信号のうち、次に表示すべき１フレーム分の画像信号を読み出す。
【００９０】
ステップＳ３３において、電源管理部５１は、読み出した、次に表示すべき１フレーム分の画像信号のうち、最高の発光量となるピーク発光量を読み出す。
【００９１】
ステップＳ３４において、電源管理部５１は、キャリブレーション部に記憶されている出力電圧と、発光量との関係を示す、例えば、図７で示されるようなキャリブレーション情報を読み出し、ピーク発光量となる発光量に対応する出力電圧Ｖｏを読み出す。
【００９２】
ステップＳ３５において、電源管理部５１は、読み出したピーク発光量に対応する出力電圧Ｖｏで、レーザーダイオードＬＤのアノードに電力を供給するように電源２９を制御する。
【００９３】
ステップＳ３６において、電源管理部５１は、次のフレームの画像信号の有無により、画像信号が終了しているか否かを判定し、終了していない場合、処理は、ステップＳ３２に戻る。すなわち、画像信号が終了するまで、ステップＳ３２乃至Ｓ３６の処理が繰り返される。
【００９４】
そして、ステップＳ３６において、次のフレームの画像信号がなく、画像信号が終了したと見なされた場合、処理は、終了する。
【００９５】
以上の処理により、例えば、図９で示されるように電源２９より出力される出力電圧Ｖｏが制御される。すなわち、時刻ｔ０乃至ｔ２において、Ｆｒａｍｅ１で示される第１フレームの画像信号が供給される場合、図中の上段で示されるレーザー発光量（レーザーダイオードＬＤの発光により測定される発光量）のうち、ピーク発光量は発光量Ｗａとなる。そこで、図中下段で示されるように、第１フレームが表示される時刻ｔ０乃至ｔ１においては、発光量Ｗａに対応する出力電圧Ｖａの電力が制御部２９からレーザーダイオードＬＤに印加される。さらに、第１フレームの画像信号の出力が完了する時刻ｔ１において、次のフレームであるＦｒａｍｅ２で示される第２フレームの画像信号が読み込まれる。
【００９６】
図９の上段における第２フレームの画像信号は、時刻ｔ２乃至ｔ３で出力される画像信号であり、そのピーク発光量はＷｄとなる。そこで、時刻ｔ２乃至ｔ３において、図中の下段で示されるように、ピーク発光量Ｗｄに対応する出力電圧Ｖｄの電力が、電源２９からレーザーダイオードＬＤのアノードに印加される。そして、第２フレームの画像信号の出力が完了する時刻ｔ３において、次のフレームであるＦｒａｍｅ３で示される第３フレームの画像信号が読み込まれる。
【００９７】
また、図９の上段における第３フレームの画像信号は、時刻ｔ４乃至ｔ５で出力される画像信号であり、そのピーク発光量はＷｂとなる。そこで、時刻ｔ４乃至ｔ５において、図中の下段で示されるように、ピーク発光量Ｗｂに対応する出力電圧Ｖｂの電力が、電源２９からレーザーダイオードＬＤのアノードに印加される。そして、第３フレームの画像信号の出力が完了する時刻ｔ５において、次のフレームであるＦｒａｍｅ４で示される第４フレームの画像信号が読み込まれる。
【００９８】
さらに、図９の上段における第４フレームの画像信号は、時刻ｔ６乃至ｔ７で出力される画像信号であり、そのピーク発光量はＷｃとなる。そこで、時刻ｔ６乃至ｔ７において、図中の下段で示されるように、ピーク発光量Ｗｃに対応する出力電圧Ｖｃの電力が、電源２９からレーザーダイオードＬＤのアノードに印加される。
【００９９】
これらの制御により、電源２９よりレーザーダイオードＬＤに供給される電力を省電力化することが可能となる。
【０１００】
すなわち、従来においては、図１０で示されるように、電源２９より出力される電力は、出力電圧Ｖｏが固定された固定電源電圧であったため、実際に必要とされる消費電力よりも多くの電力が消費されていた。尚、図１０においては、縦軸が出力電圧Ｖｏの電圧を示しており、横軸が時間を示している。また、「ＬＤオン期間」とは、１フレーム分の画像信号が表示される期間であり、点線で示される電圧がレーザードライバ２２の駆動に必要とされる電圧（Ｖｌｄｄ）であり、点線より上の電圧が、画像信号に応じて設定される電流値に応じたレーザーダイオードの降下電圧（ＶＦ（＝Ｖｆｌｄ））である。すなわち、画像信号に対応した発光量の光を発するために、レーザーダイオードＬＤに印加されるべき電圧は、上述したように、（Ｖｌｄｄ＋Ｖｆｌｄ）となるが、従来においては、どのような画像信号でも発光できるように、いずれも必要以上の印加電圧からなる出力電圧Ｖｏが固定電圧として出力され続けていたため、必要な出力電圧との差分となる過剰な電圧が印加された状態となっていた。尚、図１０，図１１においては、過剰な印可電圧により無駄になっている領域が、横縞模様で表現されている。
【０１０１】
これに対して、図８のフローチャートを参照して説明したような出力電圧制御処理がなされることにより、図１１で示されるように、電源２９より出力される電力の出力電圧Ｖｏは、各フレーム単位で必要とされるピーク発光量に対応する出力電圧Ｖｏとなるように可変電源電圧とされている。このように、電源２９より供給される電力が、フレーム単位でのピーク発光量に対応した出力電圧Ｖｏをなるように可変電源電圧とされることで、固定電源電圧とされることで発生する余剰電力が、抑制されることとなる。結果として、電源２９よりレーザーダイオードＬＤに供給される電力を省電力化することが可能となる。すなわち、図１１における余剰電力を示す縞模様の領域は、図１０で示される場合よりも小さくなっており、省電力化が実現されている。
【０１０２】
また、起動時に実行されるキャリブレーション処理により、レーザードライバ２２で必要とされる最低電圧や、レーザーダイオードＬＤによる降下電圧Ｖｆｌｄのバラツキにも対応することが可能となり、必要な出力電圧Ｖｏをフレーム単位で適切に設定することで、より適切な省電力化を実現することが可能となる。尚、以上においては、フレーム単位でのピーク発光量に対応して出力電圧Ｖｏを可変にすることで、省電力化を図る例について説明したが、フレーム単位とは異なる所定の期間毎のピーク発光量に対応する出力電圧Ｖｏを可変に設定するようにしても省電力化を実現することが可能となる。
【０１０３】
＜２．第２の実施の形態＞
＜電源の省電力化を実現する電源制御機構のその他の構成例＞
以上においては、起動時に、キャリブレーション処理を実行して、出力電圧Ｖｏと、そのときのパワーモニタ３０により測定される発光量とを対応づけて記憶しておき、フレーム単位でのピーク発光量に対応する出力電圧Ｖｏを電力供給することで省電力化を図る例について説明してきた。しかしながら、レーザーダイオードＬＤは、温度に依存して降下電圧Ｖｆｌｄが変化する、温度特性を持つことが知られている。従って、起動時に設定したキャリブレーション結果だけでは、使用時間が長くなったり、周辺の大気温度の変化によるレーザーダイオードＬＤの温度変化に伴った温度特性に対応することができない恐れがある。そこで、出力電圧Ｖｏに代えて、レーザーダイオードＬＤのカソード側の電圧Ｖｃに対応づけて発光量を測定するキャリブレーション処理を所定時間間隔で繰り返し実行し、直近のキャリブレーション結果を利用して、必要なピーク発光量に対応する電圧Ｖｃとなるように出力電圧Ｖｏをフィードバック制御するようにすることで、温度特性に対応しつつ、省電力化するようにしてもよい。
【０１０４】
図１２は、出力電圧Ｖｏに代えて、レーザーダイオードＬＤのカソード側の電圧Ｖｃに対応づけて発光量を測定するキャリブレーション処理を所定時間間隔で実行するようにし、直近のキャリブレーション結果を利用して電源２９を制御する電源制御機構の機能を説明する。尚、図５の電源制御機構における構成と同一の機能を備えた構成については、同一の名称、および同一の符号を付すものとし、適宜、その説明を省略するものとする。
【０１０５】
すなわち、図１２の電源制御機構において、図５の電源制御機構における構成と異なるのは、コントローラ２１の電源管理部５１、およびキャリブレーション部５３に代えて、電源管理部８１、およびキャリブレーション部８２を設けた点と、新たに、Ｖｃモニタ部８３を備えた点である。Ｖｃモニタ部８３は、レーザーダイオードＬＤのカソード側の電圧Ｖｃを測定する。また、電源管理部８１は、出力電圧Ｖｏに代えて、レーザーダイオードＬＤのカソード側の電圧Ｖｃと、パワーモニタ３０により測定された発光量との関係をキャリブレーション結果として、所定時間間隔で繰り返しキャリブレーション部５３に記憶させる。さらに、電源管理部８１は、画像信号に基づいて画像を表示する際、次に表示すべきフレームの画像信号のピーク発光量に対応するレーザーダイオードＬＤのカソード側の電圧Ｖｃを読み出し、Ｖｃモニタ部８３により測定される電圧Ｖｃが読み出した値となるように、電源２９の出力電圧Ｖｏをフィードバック制御する。
【０１０６】
＜図１２の電源制御機構によるキャリブレーション処理＞
次に、図１３のフローチャートを参照して、図１２の電源制御機構によるキャリブレーション処理について説明する。
【０１０７】
ステップＳ５１において、コントローラ２１の電源管理部８１は、直近でキャリブレーション処理されたタイミングから所定の時間が経過したか否かを判定し、所定の時間が経過するまで、同様の処理を繰り返す。そして、ステップＳ５１において、所定の時間が経過したと判定された場合、処理は、ステップＳ５２に進む。尚、最初の処理については、所定の時間が経過したものとして判定されるものとしても良い。
【０１０８】
ステップＳ５２において、電源管理部８１は、電源２９を制御して、出力電圧Ｖｏが最低になるように、電源２９の出力電圧Ｖｏを調整して、レーザーダイオードＬＤのアノード側に印加させる。
【０１０９】
ステップＳ５３において、パワーモニタ部５２は、パワーモニタ３０を制御して、レーザーダイオードＬＤの発光量を測定させ、測定させた発光量の情報を取得する。
【０１１０】
ステップＳ５４において、キャリブレーション部８２は、今現在のＶｃモニタ部８３により測定されている、レーザーダイオードＬＤのカソード側の電圧Ｖｃの情報を取得して、パワーモニタ３０により測定された発光量の情報に対応づけてキャリブレーション結果として記憶する。
【０１１１】
ステップＳ５５において、電源管理部８１は、電源２９より出力されている出力電圧Ｖｏが最高電圧であるか否かを判定し、最高電圧ではない場合、処理は、ステップＳ５６に進む。
【０１１２】
ステップＳ５６において、電源管理部８１は、所定値だけ出力電圧Ｖｏを上昇させて、電源２９よりレーザーダイオードＬＤに出力させて、処理は、ステップＳ６３に戻る。
【０１１３】
すなわち、ステップＳ５５において、出力電圧Ｖｏが最高電圧であると見なされるまで、ステップＳ５３乃至Ｓ５６の処理が繰り返されて、順次、各電圧Ｖｃと、発光量とが対応づけられたキャリブレーション結果としてキャリブレーション部８２に記憶される。
【０１１４】
そして、ステップＳ５５において、出力電圧Ｖｏが最高電圧であると見なされた場合、処理はステップＳ５１に戻る。すなわち、以降において、所定時間が経過する毎にステップＳ５２乃至Ｓ５６の処理が繰り返されて、繰り返しキャリブレーション処理学理返されて、キャリブレーション結果が順次記憶（更新）されていく。
【０１１５】
以上の処理により、所定の時間間隔で、ステップＳ５２乃至Ｓ５６の処理が繰り返されることにより、レーザーダイオードＬＤのカソード側の電圧Ｖｃと、発光量との関係を示す情報がキャリブレーション部８２に繰り返し記憶される。
【０１１６】
このようにキャリブレーション部８２に電圧Ｖｃと発光量との対応関係を示すキャリブレーション結果が繰り返し記憶されることにより、このキャリブレーション結果に基づいて、コントローラ２１における電源管理部５１は、画像信号に応じてレーザーダイオードＬＤを発光させる際に、レーザーダイオードＬＤのカソード側の電圧ＶｃをＶｃモニタ部８３で確認しながら、発光量に対応する電圧Ｖｃとなるように、電源２９より出力される出力電圧Ｖｏをフィードバック制御させることで、レーザーダイオードＬＤの温度特性に対応した省電力化を実現する。
【０１１７】
＜図１２の電源制御機構による出力電圧制御処理＞
次に、図１４のフローチャートを参照して、図１２の電源制御機構による画像信号に基づいてレーザーダイオードＬＤを発光させるときの出力電圧制御処理について説明する。
【０１１８】
ステップＳ７１において、コントローラ２１の電源管理部８１は、画像信号に基づいた画像表示が指示されて、開始されたか否かを判定し、開始されるまで、同様の処理を繰り返す。そして、ステップＳ７１において、表示が開始されたと見なされた場合、処理は、ステップＳ７２に進む。
【０１１９】
ステップＳ７２において、電源管理部８１は、表示する画像信号のうち、次に表示すべき１フレーム分の画像信号を読み出す。
【０１２０】
ステップＳ７３において、電源管理部８１は、読み出した、次に表示すべき１フレーム分の画像信号のうち、最高の発光量となるピーク発光量を読み出す。
【０１２１】
ステップＳ７４において、電源管理部８１は、キャリブレーション部８２に、直近のキャリブレーション処理で記憶された電圧Ｖｃと、発光量との関係を示すキャリブレーション結果を読み出し、ピーク発光量に対応する電圧Ｖｃを読み出す。
【０１２２】
ステップＳ７５において、電源管理部８１は、Ｖｃモニタ部８３により測定される電圧Ｖｃが、読み出したピーク発光量に対応する電圧Ｖｃとなるように、電源２９を制御して、出力電圧Ｖｏを調整しながら、レーザーダイオードＬＤのアノードに電力を供給させる。
【０１２３】
ステップＳ７６において、電源管理部８１は、次のフレームの画像信号の有無により、画像信号が終了しているか否かを判定し、終了していない場合、処理は、ステップＳ７２に戻る。すなわち、画像信号が終了するまで、ステップＳ７２乃至Ｓ７６の処理が繰り返される。
【０１２４】
そして、ステップＳ７６において、次のフレームの画像信号がなく、画像信号が終了したと見なされた場合、処理は、終了する。
【０１２５】
以上の処理により、所定の時間間隔で繰り返し実行されるキャリブレーション処理によりキャリブレーション部８２に、直近の処理で記憶されているキャリブレーション結果より、画像信号に基づいた次の１フレームのピーク発光量に対応する、レーザーダイオードＬＤのカソード側の電圧Ｖｃとなるように、電源２９の出力電圧Ｖｏを調整して、レーザーダイオードＬＤのアノード側に出力電圧Ｖｏを印加するようにした。これにより、レーザーダイオードＬＤの温度特性にも対応した、適切な出力電圧ＶｏでレーザーダイオードＬＤに電力を供給することが可能となり、結果として、プロジェクション装置の省電力化を実現することが可能となる。
【０１２６】
すなわち、図１５で示されるように、時刻ｔａにおける温度低下に伴って、レーザーダイオードＬＤの電圧降下が大きくなり、レーザーダイオードＬＤのカソード側の電圧Ｖｃが低下するようなことがあっても、発光量に対応する電圧Ｖｃを一定に保つように、出力電圧Ｖｏを上昇させるようにフィードバック制御しながら電源２９の出力電圧Ｖｏを調整して出力させることが可能となるので、レーザー発光量をレーザーダイオードＬＤの温度特性に左右されることなく適切な出力電圧ＶｏでレーザーダイオードＬＤに電力を供給することが可能となり、さらに、省電力化を実現することが可能となる。
【０１２７】
尚、図１５においては、縦軸には、上からレーザー発光量、出力電圧Ｖｏ、およびレーザーダイオードＬＤのカソード側電圧Ｖｃがそれぞれ示されており、横軸には時間が示されている。また、時刻ｔａ以前においては、レーザーダイオードＬＤが高温状態であることが示されており、時刻ｔａ以降においては低温状態であることが示されている。すなわち、時刻ｔａにおいて、カソード側電圧Ｖｃが低下したため、ピーク発光量に必要とされるように、時刻ｔａ乃至ｔｂにおいて、電源２９が出力電圧Ｖｏを上昇させて電力を供給しており、これによりレーザーダイオードＬＤのレーザー発光量が一定に維持されていることが示されている。
【０１２８】
また、図５の電源管理機構におけるキャリブレーション処理を、所定時間間隔で実行するようにし、直近のキャリブレーション結果を利用して、出力電圧制御処理を実現するようにしても良い。
【０１２９】
さらに、光源となるレーザーダイオードＬＤの消費電力を低減することが可能となるので、発熱量も低減することができ、放熱のためのファンなどを設ける必要がなくなるので、ファンなどの構成が不要となり、低電力化と共に、装置の小型化を実現することが可能となる。
【０１３０】
＜３．第３の実施の形態＞
＜電源の省電力化を実現する電源制御機構のさらにその他の構成例＞
以上においては、レーザーダイオードＬＤのカソード側の電圧Ｖｃに対応づけて発光量を測定するキャリブレーション処理を所定時間間隔で繰り返し実行し、直近のキャリブレーション結果を利用して、必要なピーク発光量に対応する電圧Ｖｃとなるように出力電圧Ｖｏをフィードバック制御するようにした例について説明してきたが、例えば、出力電圧Ｖｏと、レーザーダイオードＬＤの実際の発光量との関係を記憶して、ピーク発光量に対して必要とされる出力電圧Ｖｏを記憶した出力電圧Ｖｏと、実際に測定された発光量との関係から推定し、推定した出力電圧Ｖｏとなるように制御することで、温度特性に対応しつつ、省電力化するようにしてもよい。
【０１３１】
図１６は、出力電圧Ｖｏと、レーザーダイオードＬＤの実際の発光量との関係を記憶して、ピーク発光量に対して必要とされる出力電圧Ｖｏを記憶した出力電圧Ｖｏと、実際に測定された発光量との関係から推定し、推定した出力電圧Ｖｏとなるように電源２９を制御する電源制御機構の機能を説明する。尚、図５の電源制御機構における構成と同一の機能を備えた構成については、同一の名称、および同一の符号を付すものとし、適宜、その説明を省略するものとする。
【０１３２】
すなわち、図１６の電源制御機構において、図５の電源制御機構における構成と異なるのは、コントローラ２１の電源管理部５１に代えて、電源管理部１０１を設けた点である。電源管理部１０１は、記憶部１０１ａ、および推定部１０１ｂを備えており、電源２９を制御した出力電圧Ｖｏと、そのときにパワーモニタ３０を制御して、パワーモニタ部５２が取得した実際のレーザーダイオードＬＤの発光量とを対応づけて記憶させる。そして、電源管理部１０１は、推定部１０１ｂを制御して、記憶部１０１ａに記憶されている、出力電圧Ｖｏと、実際のレーザーダイオードＬＤの発光量との関係、並びに、キャリブレーション部５３に記憶されているキャリブレーション結果に基づいて、次のフレームにおけるピーク発光量に対して適切な出力電圧Ｖｏを推定させ、推定された出力電圧Ｖｏとなるように電源２９を制御する。
【０１３３】
＜図１６の電源制御機構による出力電圧制御処理＞
次に、図１７のフローチャートを参照して、図１６の電源制御機構によるキャリブレーション処理について説明する。尚、図１７のフローチャートにおけるステップＳ１０１乃至Ｓ１０３、およびＳ１０７の処理は、図８のフローチャートにおけるステップＳ３１乃至Ｓ３３、およびＳ３６の処理と同様であるので、その説明は適宜省略するものとする。
【０１３４】
ステップＳ１０１乃至Ｓ１０３の処理により、コントローラ２１の電源管理部１０１により、画像の表示が開始されたと判定され、表示する画像信号のうち、次に表示すべき１フレーム分の画像信号を読み出され、読み出した、次に表示すべき１フレーム分の画像信号のうち、最高の発光量となるピーク発光量を読み出されると、処理は、ステップＳ１０４に進む。
【０１３５】
ステップＳ１０４において、電源管理部１０１は、推定部１０１ｂを制御して、記憶部１０１ａに記憶されている、過去の出力電圧Ｖｏと対応づけて記憶されている、実際のレーザーダイオードＬＤの発光量との関係の情報、並びに、キャリブレーション部５３に記憶されたキャリブレーション結果に基づいて、次に表示すべき１フレーム分の画像信号のピーク発光量に対応する出力電圧Ｖｏを推定させる。より詳細には、例えば、推定部１０１ｂは、記憶部１０１ａに記憶されている情報が十分な個数ではない場合、キャリブレーション結果をそのまま使用して、次に表示すべき１フレーム分の画像信号のピーク発光量に対応する出力電圧Ｖｏを推定する。また、推定部１０１ｂは、記憶部１０１ａに記憶されている情報が十分な個数となった場合、記憶部１０１ａに記憶されている情報およびキャリブレーション結果のうち、次に表示すべき１フレーム分の画像信号のピーク発光量に対応付けて記憶されている出力電圧Ｖｏのうち、直近の数個の平均出力電圧を推定結果とする。さらに、推定部１０１ｂは、キャリブレーション処理がなされたタイミングから十分な時間が経過しているような場合、記憶部１０１ａに記憶されている情報およびキャリブレーション結果のうち、次に表示すべき１フレーム分の画像信号のピーク発光量に対応付けて記憶されている出力電圧Ｖｏのうち、直近の数個の平均出力電圧を推定結果とするようにしてもよい。
【０１３６】
さらには、推定部１０１ｂは、記憶部１０１ａに記憶されている情報のみから、次に表示すべき１フレーム分の画像信号のピーク発光量に対応付けて記憶されている出力電圧Ｖｏのうち、直近の数個の平均出力電圧を推定結果とするようにしてもよい。
【０１３７】
いずれにおいても、このような処理により、例えば、レーザーダイオードＬＤの温度が変化することで、出力電圧Ｖｏに応じた発光量が変化しても、現在の状態に適した出力電圧Ｖｏに補正して出力電圧Ｖｏを設定することが可能となる。
【０１３８】
ステップＳ１０５において、電源管理部１０１は、電源２９を制御して、推定部１０１ｂにより推定された出力電圧Ｖｏで、レーザーダイオードＬＤのアノードに電力を供給させる。
【０１３９】
ステップＳ１０６において、電源管理部１０１は、パワーモニタ部５２において、パワーモニタ３０によりモニタ（測定）された発光量と、ステップＳ１０５の処理で電源２９を制御した出力電圧Ｖｏとを対応付けて、記憶部１０１ａに記憶させる。
【０１４０】
以上の処理により、レーザーダイオードＬＤの発光が継続されることにより、出力電圧ＶｏとレーザーダイオードＬＤにおける発光量との関係が変動しても、直近の状態に基づいて、必要な発光量に対する適切な出力電圧Ｖｏが推定されて出力されることになるので、不要な出力電圧を抑制しつつ、必要な発光量に対して、適切な出力電圧をレーザーダイオードに印加することが可能となり、結果として、プロジェクション装置の省電力化を実現することが可能となる。
【０１４１】
尚、以上においては、レーザーダイオードＬＤを利用したプロジェクション装置の例について説明してきたが、発光部を備えた画像出力装置における、発光部への電力を供給する電源からの出力を制御するものであれば適用することが可能である。
【０１４２】
以上の如く、本技術によれば、レーザーダイオードなどの発光部を備えた、プロジェクション装置に代表される画像出力装置の消費電力を省電力化することが可能となる。
【０１４３】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１４４】
図１６は、汎用のパーソナルコンピュータの構成例を示している。このパーソナルコンピュータは、CPU(Central Processing Unit)１００１を内蔵している。CPU１００１にはバス１００４を介して、入出力インタ-フェイス１００５が接続されている。バス１００４には、ROM(Read Only Memory)１００２およびRAM(Random Access Memory)１００３が接続されている。
【０１４５】
入出力インタ-フェイス１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１４６】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１４７】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０１４８】
コンピュータ（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線または無線の伝送媒体を介して提供することができる。
【０１４９】
コンピュータでは、プログラムは、リムーバブルメディア１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０１５０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５１】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１５２】
なお、本技術の実施の形態は、上述した実施の形態に限定されるものではなく、本技術の要旨を逸脱しない範囲において種々の変更が可能である。
【０１５３】
例えば、本技術は、１つの機能をネットワークを介して複数の装置で分担、共同して処理するクラウドコンピューティングの構成をとることができる。
【０１５４】
また、上述のフローチャートで説明した各ステップは、１つの装置で実行する他、複数の装置で分担して実行することができる。
【０１５５】
さらに、１つのステップに複数の処理が含まれる場合には、その１つのステップに含まれる複数の処理は、１つの装置で実行する他、複数の装置で分担して実行することができる。
【０１５６】
尚、本技術は、以下のような構成も取ることができる。
（１）  レーザー光を発光する発光部と、
前記発光部に所定の電圧で電力を供給する電力供給部と、
所定期間の画像データにおける、前記発光部のピーク発光量に対応する電圧で、前記所定期間において、前記発光部に電力を供給するように前記電力供給部を制御する制御部と
を含む画像出力装置。
（２）  前記発光部により発光される発光量を測定する発光量測定部と、
前記制御部が、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含み、
前記制御部は、前記所定期間の画像データを読み込み、前記調整記憶部に記憶されている発光量のうち、読み込んだ前記所定期間の前記画像データのピーク発光量に対応する電圧で、前記所定の期間において、前記発光部に電力を供給するように、前記電力供給部を制御する
（１）に記載の画像出力装置。
（３）  前記調整記憶部は、前記制御部が、起動時に、最低電圧から最高電圧まで、所定の電圧間隔で前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する
（２）に記載の画像出力装置。
（４）  前記調整記憶部は、前記制御部が、所定の時間間隔毎に、最低電圧から最高電圧まで、所定の電圧間隔で前記発光部に供給する電力の電圧を変化させながら、前記発光部に電力を供給するように前記電力供給部を制御するように繰り返すとき、前記発光部に供給される電力の、それぞれの電圧に対応づけて、前記発光量測定部により測定される発光量を繰り返し記憶し、
前記制御部は、前記所定期間の画像データを読み込み、前記調整記憶部に記憶されている発光量のうち、読み込んだ前記所定期間の前記画像データのピーク発光量に対応する、直近に記憶された電圧で、前記所定の期間において、前記発光部に電力を供給するように、前記電力供給部を制御する
（２）に記載の画像出力装置。
（５）  前記発光部により発光される発光量を測定する発光量測定部と、
前記発光部の出力電圧を測定する出力電圧測定部とをさらに含み、
前記制御部が、前記出力電圧測定部により測定される出力電圧が変化するように、前記発光部に供給する電力の電圧を変化させながら、前記発光部に電力を供給するように前記電力供給部を制御するとき、前記出力電圧測定部により測定される出力電力の、それぞれの出力電圧に対応づけて、前記発光量測定部により測定される発光量を記憶する調整記憶部とをさらに含み、
前記制御部は、前記所定期間の画像データを読み込み、前記調整記憶部に記憶されている発光量のうち、読み込んだ前記所定期間の前記画像データのピーク発光量に対応する出力電圧で、前記所定の期間において、前記発光部に電力を供給するように、前記電力供給部を制御する
（１）に記載の画像出力装置。
（６）  前記調整記憶部は、前記制御部が、所定の時間間隔毎に、最低電圧から最高電圧まで、前記出力電圧測定部により測定される出力電圧が変化するように、所定の電圧間隔で前記発光部に供給する電力の電圧を変化させながら、前記発光部に電力を供給するように前記電力供給部を制御するように繰り返すとき、前記それぞれの出力電圧に対応づけて、前記発光量測定部により測定される発光量を繰り返し記憶し、
前記制御部は、前記所定期間の画像データを読み込み、前記調整記憶部に記憶されている発光量のうち、読み込んだ前記所定期間の前記画像データのピーク発光量に対応する、直近に記憶された出力電圧で、前記所定の期間において、前記発光部に電力を供給するように、前記電力供給部を制御する
（５）に記載の画像出力装置。
（７）  前記発光部により発光される発光量を測定する発光量測定部を含み、
前記制御部は、
前記電力供給部が前記発光部へと供給する供給電力の電圧と、前記発光量測定部により発光量測定部により測定された発光量とを対応付けて実測結果として記憶する実測記憶部と、
前記実測記憶部に記憶されている実測結果に基づいて、所定期間の画像データにおける、前記発光部のピーク発光量に対応する電圧を推定する推定部とを含み、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
（１）に記載の画像出力装置。
（８）  前記制御部が、起動時に、最低電圧から最高電圧まで、所定の電圧間隔で、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部とをさらに含み、
前記推定部は、前記調整器億部に記憶されている情報、および前記実測記憶部に記憶されている実測結果に基づいて、前記所定期間の画像データにおける、前記発光部のピーク発光量に対応する電圧を推定し、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
（７）に記載の画像出力装置。
（９）  前記画像データに基づいて、前記発光部で発光される強度に対応付けて、前記発光部に供給される電流値を設定する電流値設定部をさらに含む
（１）に記載の画像出力装置。
（１０）  前記発光部は、レーザーダイオードである
（１）に記載の画像出力装置。
（１１）  レーザー光を発光する発光処理をし、
前記発光処理をするために所定の電圧で電力を供給する電力供給処理をし、
所定期間の画像データにおける、前記発光処理によるピーク発光量に対応する電圧で、前記所定期間において、前記発光処理をするための電力を供給するように前記電力供給処理を制御する制御処理をする
ステップを含む画像出力装置の動作方法。
（１２）  レーザー光を発光する発光ステップと、
前記発光ステップの処理をするために所定の電圧で電力を供給する電力供給ステップと、
所定期間の画像データにおける、前記発光ステップの処理によるピーク発光量に対応する電圧で、前記所定期間において、前記発光ステップの処理をするための電力を供給するように前記電力供給ステップの処理を制御する制御ステップと
を含む処理をコンピュータに実行させるためのプログラム。
（１３）  レーザー光を発光する発光部と、
前記発光部に所定の電圧で電力を供給する電力供給部とを少なくとも接続する電子回路であって、
所定期間の画像データにおける、前記発光部のピーク発光量に対応する電圧で、前記所定期間において、前記発光部に電力を供給するように前記電力供給部を制御する制御部を含む
電子回路。
（１４）  前記電子回路は、
前記発光部により発光される発光量を測定する発光量測定部とさらに接続し、
前記制御部が、前記発光部に供給する電力の電圧を変化させながら、前記発光部に電力を供給するように前記電力供給部を制御するとき、前記発光部に供給される電力の、それぞれの電圧に対応づけて、前記発光量測定部により測定される発光量を記憶する調整記憶部をさらに含み、
前記制御部は、前記所定期間の画像データを読み込み、前記調整記憶部に記憶されている発光量のうち、読み込んだ前記所定期間の前記画像データのピーク発光量に対応する電圧で、前記所定の期間において、前記発光部に電力を供給するように、前記電力供給部を制御する
（１３）に記載の電子回路。
（１５）  前記電子回路は、
前記発光部により発光される発光量を測定する発光量測定部と、
前記発光部の出力電圧を測定する出力電圧測定部とをさらに接続し、
前記制御部が、前記出力電圧測定部により測定される出力電圧が変化するように、前記発光部に供給する電力の電圧を変化させながら、前記発光部に電力を供給するように前記電力供給部を制御するとき、前記出力電圧測定部により測定される出力電力の、それぞれの出力電圧に対応づけて、前記発光量測定部により測定される発光量を記憶する調整記憶部とをさらに含み、
前記制御部は、前記所定期間の画像データを読み込み、前記調整記憶部に記憶されている発光量のうち、読み込んだ前記所定期間の前記画像データのピーク発光量に対応する出力電圧で、前記所定の期間において、前記発光部に電力を供給するように、前記電力供給部を制御する
（１３）に記載の電子回路。
（１６）  前記電子回路は、
前記発光部により発光される発光量を測定する発光量測定部をさらに接続し、
前記制御部は、
前記電力供給部が前記発光部へと供給する供給電力の電圧と、前記発光量測定部により発光量測定部により測定された発光量とを対応付けて実測結果として記憶する実測記憶部と、
前記実測記憶部に記憶されている実測結果に基づいて、所定期間の画像データにおける、前記発光部のピーク発光量に対応する電圧を推定する推定部とを含み、
前記制御部は、前記所定期間の画像データを読み込み、読み込んだ前記所定期間の前記画像データのピーク発光量に対応する電圧として前記推定部により推定された電圧で、前記所定の期間において、前記発光部に電力を供給するように、前記電力供給部を制御する
（１３）に記載の電子回路。
（１７）  レーザー光を発光する発光部と、
前記発光部に所定の電圧で電力を供給する電力供給部と、
所定期間の画像データにおける、前記発光部のピーク発光量に対応する電圧で、前記所定期間において、前記発光部に電力を供給するように前記電力供給部を制御する制御部と
を含む電子機器。
【符号の説明】
【０１５７】
１１  プロジェクタ装置，  ２１  コントローラ，  ２２  レーザードライバ，  ２４，２４Ｒ，２４Ｇ，２４Ｂ  レーザー，  ２９  電源，  ３０  パワーモニタ，  ５１  電源管理部，  ５２  ワーモニタ部，  ５３  キャリブレーション部，  ８１  電源管理部，  ８２  キャリブレーション部，  ８３  Ｖｃモニタ部，１０１  電源管理部，  １０１ａ  記憶部，  １０１ｂ  推定部
【図１】
2014092649.tif 000003
【図２】
2014092649.tif 000004
【図３】
2014092649.tif 000005
【図４】
2014092649.tif 000006
【図５】
2014092649.tif 000007
【図６】
2014092649.tif 000008
【図７】
2014092649.tif 000009
【図８】
2014092649.tif 000010
【図９】
2014092649.tif 000011
【図１０】
2014092649.tif 000012
【図１１】
2014092649.tif 000013
【図１２】
2014092649.tif 000014
【図１３】
2014092649.tif 000015
【図１４】
2014092649.tif 000016
【図１５】
2014092649.tif 000017
【図１６】
2014092649.tif 000018
【図１７】
2014092649.tif 000019
【図１８】
2014092649.tif 000020